【手続補正書】
【提出日】平成18年6月7日(2006.6.7)
【手続補正１】
【補正対象書類名】明細書
【補正対象項目名】発明の名称
【補正方法】変更
【補正の内容】
【発明の名称】実像式ファインダー光学系及びそれを用いた撮像装置
【手続補正２】
【補正対象書類名】明細書
【補正対象項目名】特許請求の範囲
【補正方法】変更
【補正の内容】
【特許請求の範囲】
【請求項１】   物体側より順に配置された、正の屈折力を有する対物光学系と、前記対物光学系の結像位置近傍に配置された視野枠と、正の屈折力を有する接眼光学系とを有する実像式ファインダー光学系において、
前記実像式ファインダー光学系が、像正立手段を有し、
前記対物光学系が、物体側から順に、負の屈折力を有する第１群と、正の屈折力を有する第２群と、負の屈折力を有する第３群と、正の屈折力を有する第４群とを有し、広角端から望遠端への変倍を、第２群を物体側に単調に移動させ、第３群を接眼光学系側に単調に移動させて行うように構成され、かつ、次の条件式(1)を満足することを特徴とする実像式ファインダー光学系。
１２．０ｍｍ ＜ ｆｅ ＜ １８．０ｍｍ                         ……(1)
ただし、ｆｅは接眼光学系の焦点距離である。
【請求項２】   物体側より順に配置された、正の屈折力を有する対物光学系と、前記対物光学系の結像位置近傍に配置された視野枠と、正の屈折力を有する接眼光学系とを有する実像式ファインダー光学系において、
前記実像式ファインダー光学系が、像正立手段を有し、
前記対物光学系が、物体側から順に、負の屈折力を有する第１群と、正の屈折力を有する第２群と、負の屈折力を有する第３群と、正の屈折力を有する第４群とを有し、広角端から望遠端への変倍を、第２群を物体側に単調に移動させ、第３群を接眼光学系側に単調に移動させて行うように構成され、かつ、次の条件式(2)を満足することを特徴とする実像式ファインダー光学系。
０．５２ ＜ｍｈ／ｆｅ ＜ １                                   ……(2)
ただし、ｍｈは視野枠の最大幅、ｆｅは接眼光学系の焦点距離である。
【請求項３】   物体側より順に配置された、正の屈折力を有する対物光学系と、前記対物光学系の結像位置近傍に配置された視野枠と、正の屈折力を有する接眼光学系とを有する実像式ファインダー光学系において、
前記実像式ファインダー光学系が、像正立手段を有し、
前記対物光学系が、前記接眼光学系の焦点距離よりも短い値の焦点距離をとることが可能であり、
前記接眼光学系が、物体側から順に、正の屈折力を有するプリズム群と、正の屈折力を有するレンズ群とを有し、
前記正の屈折力を有するプリズム群の最も視野枠側の面が、正の屈折力を有し、かつ、周辺においては負の屈折力を有する非球面に形成されていることを特徴とする実像式ファインダー光学系。
【請求項４】  次の条件式(3)を満足することを特徴とする請求項１に記載の実像式ファインダー光学系。
１３．５ｍｍ ＜ ｆｅ ＜ １６．５ｍｍ                         ……(3)
ただし、ｆｅは接眼光学系の焦点距離である。
【請求項５】  次の条件式(4)を満足することを特徴とする請求項２に記載の実像式ファインダー光学系。
０．５７ ＜ ｍｈ／ｆｅ ＜ １                                 ……(4)
ただし、ｍｈは視野枠の最大幅、ｆｅは接眼光学系の焦点距離である。
【請求項６】  前記接眼光学系が、物体側から順に、正の屈折力を有するプリズム群と、正の屈折力を有するレンズ群とを有し、前記正の屈折力を有するプリズム群の最も視野枠側の面が中心部において正の屈折力を有し、周辺において負の屈折力を有する非球面に形成されていることを特徴とする請求項１、２、４、５のいずれかに記載の実像式ファインダー光学系。
【請求項７】  前記正のプリズム群の最も視野枠側の面の周辺における負の屈折力が、次の条件式(5)を満足することを特徴とする請求項３又は６に記載の実像式ファインダー光学系。
−０．７（１／ｍｍ） < φ（ｍｈ／２）< ０（１／ｍｍ）        ……(5)
ただし、φ（ｍｈ／２）は非球面の光軸に直交する方向の高さｍｈ／２における屈折力、ｍｈは視野枠の最大幅である。
【請求項８】  前記対物光学系が少なくとも２つのレンズ群を有し、前記対物光学系の焦点距離が可変であり、変倍時に前記少なくとも２つのレンズ群が異なる軌跡を移動することを特徴とする請求項３に記載の実像式ファインダー光学系。
【請求項９】  撮影光学系と、請求項１乃至８のいずれかに記載の実像式ファインダー光学系とを備えたことを特徴とする撮像装置。
【手続補正３】
【補正対象書類名】明細書
【補正対象項目名】０００１
【補正方法】変更
【補正の内容】
【０００１】
【発明の属する技術分野】
本発明は、撮影光学系とファインダー光学系とが別体に構成されたレンズシャッターカメラや電子スチルカメラ等に用いるのに好適であり、特に、射出角が大きく、小型カメラに搭載するのに最適な実像式ファインダー光学系及びそれを用いた撮像装置に関する。
【手続補正４】
【補正対象書類名】明細書
【補正対象項目名】０００７
【補正方法】変更
【補正の内容】
【０００７】
本発明は、射出角を大きくとることができ、かつ、小型化できる実像式ファインダー光学系及びそれを用いた撮像装置を提供することを目的とする。
【手続補正５】
【補正対象書類名】明細書
【補正対象項目名】００１０
【補正方法】変更
【補正の内容】
【００１０】
また、本第３の発明による実像式ファインダー光学系は、物体側より順に配置された、正の屈折力を有する対物光学系と、前記対物光学系の結像位置近傍に配置された視野枠と、正の屈折力を有する接眼光学系とを有する実像式ファインダー光学系において、前記実像式ファインダー光学系が、像正立手段を有し、前記対物光学系が、前記接眼光学系の焦点距離よりも短い値の焦点距離をとることが可能であり、前記接眼光学系が、物体側から順に、正の屈折力を有するプリズム群と、正の屈折力を有するレンズ群とを有し、前記正の屈折力を有するプリズム群の最も視野枠側の面が、正の屈折力を有し、かつ、周辺においては負の屈折力を有する非球面に形成されていることを特徴とする。
また、本第４の発明による実像式ファインダー光学系は、次の条件式(3)を満足することを特徴とする。
１３．５ｍｍ ＜ ｆｅ ＜ １６．５ｍｍ                         ……(3)
ただし、ｆｅは接眼光学系の焦点距離である。
また、本第５の発明による実像式ファインダー光学系は、次の条件式(4)を満足することを特徴とする。
０．５７ ＜ ｍｈ／ｆｅ ＜ １                                 ……(4)
ただし、ｍｈは視野枠の最大幅、ｆｅは接眼光学系の焦点距離である。
また、本第６の発明による実像式ファインダー光学系は、前記接眼光学系が、物体側から順に、正の屈折力を有するプリズム群と、正の屈折力を有するレンズ群とを有し、前記正の屈折力を有するプリズム群の最も視野枠側の面が中心部において正の屈折力を有し、周辺において負の屈折力を有する非球面に形成されていることを特徴とする。
また、本第７の発明による実像式ファインダー光学系は、前記正のプリズム群の最も視野枠側の面の周辺における負の屈折力が、次の条件式(5)を満足することを特徴とする。
−０．７（１／ｍｍ） < φ（ｍｈ／２）< ０（１／ｍｍ）        ……(5)
ただし、φ（ｍｈ／２）は非球面の光軸に直交する方向の高さｍｈ／２における屈折力、ｍｈは視野枠の最大幅である。
また、本第８の発明による実像式ファインダー光学系は、前記対物光学系が少なくとも２つのレンズ群を有し、前記対物光学系の焦点距離が可変であり、変倍時に前記少なくとも２つのレンズ群が異なる軌跡を移動することを特徴とする。
また、本第９の発明による撮像装置は、撮影光学系と、本第１乃至８の発明のいずれかによる実像式ファインダー光学系とを備えたことを特徴とする。
【手続補正６】
【補正対象書類名】明細書
【補正対象項目名】０１１２
【補正方法】変更
【補正の内容】
【０１１２】
第１群Ｇ１、第２群Ｇ２及び第３群Ｇ３は、夫々１枚のレンズで構成されている。
プリズムＰ１の入射面は、曲率を有している。また、プリズムＰの入射面と射出面も曲率を有している。
【手続補正７】
【補正対象書類名】明細書
【補正対象項目名】０１３１
【補正方法】変更
【補正の内容】
【０１３１】
【発明の効果】
以上のように本発明の実像式ファインダー光学系によれば、射出角が大きく、小型の実像式ファインダー光学系及びそれを用いた撮像装置が得られる。
【手続補正８】
【補正対象書類名】図面
【補正対象項目名】図１９
【補正方法】変更
【補正の内容】
【図１９】
2001337273.tif 000001
【手続補正９】
【補正対象書類名】図面
【補正対象項目名】図２０
【補正方法】変更
【補正の内容】
【図２０】
2001337273.tif 000002
【手続補正１０】
【補正対象書類名】図面
【補正対象項目名】図２３
【補正方法】変更
【補正の内容】
【図２３】
2001337273.tif 000003